(57)【特許請求の範囲】
【請求項１】
操作処理方法であって、
端末画面に、スライド可能な領域と、応答セグメントを複数含む応答領域とを有するフロートアイコンを表示し、各応答セグメントはそれぞれ異なる機能に対応する、ステップと、
前記スライド可能な領域に対するスライド操作を検出する時、前記スライド操作の前記応答領域での終了点の位置を取得するステップと、
スライド可能な領域に対するスライド操作を検出する時、前記スライド操作のスライド速度を検出し、前記スライド速度とは、前記スライド可能な領域を開始位置から前記応答領域までスライドする過程が対応するスライド速度を意味するステップと、
前記スライド速度が所定の速度より大きいか否かを判断するステップと、
前記スライド速度が前記所定の速度より大きい場合、前記終了点の位置によって目的機能を決定し、前記目的機能は、前記終了点が位置する応答セグメントに対応する機能であるステップと、
前記スライド速度が前記所定の速度以下である場合、前記スライド操作に応答しないステップと、
前記目的機能を起動させるステップと、を含むことを特徴とする操作処理方法。
【請求項２】
前記終了点の位置によって目的機能を決定する前に、前記方法は、
前記スライド可能な領域に対するスライド操作を検出する時、スライド時間を取得し、前記スライド時間は前記スライド可能な領域を前記応答領域までスライドする時間である、ステップと、
前記スライド時間が所定の時間より短いか否かを判断する、ステップと、
前記スライド時間が前記所定時間よりも短い場合、前記終了点の位置によって目的機能を決定するステップを実行する、ステップと、
前記スライド時間が前記所定時間以上である場合、前記スライド操作に応答しない、ステップと、をさらに含むことを特徴とする請求項１に記載の操作処理方法。
【請求項３】
前記終了点の位置によって目的機能を決定するステップは、
前記終了点が第１の応答セグメントに位置する場合、前記目的機能をスクリーンショット機能として決定するステップ、または、
前記終了点が第２の応答セグメントに位置する場合、前記目的機能をスクリーンロック機能とするステップを含むことを特徴とする請求項１に記載の操作処理方法。
【請求項４】
前記スライド可能な領域の中心は、前記応答領域の中心に重なり合うことを特徴とする請求項１に記載の操作処理方法。
【請求項５】
前記スライド可能な領域は円形であり、前記応答領域は前記スライド可能な領域を囲む環状であることを特徴とする請求項１に記載の操作処理方法。
【請求項６】
前記スライド可能な領域と前記応答領域との間に所定距離離隔することを特徴とする請求項１に記載の操作処理方法。
【請求項７】
操作処理装置であって、
端末画面に、スライド可能な領域と、応答セグメントを複数含む応答領域とを有するフロートアイコンを表示するが、各応答セグメントはそれぞれ異なる機能に対応するための、フロートアイコン表示モジュールと、
前記スライド可能な領域に対するスライド操作を検出する時、前記スライド操作の前記応答領域での終了点の位置を取得するための、位置取得モジュールと、
スライド可能な領域に対するスライド操作を検出する時、前記スライド操作のスライド速度を検出し、前記スライド速度とは、前記スライド可能な領域を開始位置から前記応答領域までスライドする過程が対応するスライド速度を意味する、スライド速度取得モジュールと、
前記スライド速度が所定の速度より大きいか否かを判断するための、判断モジュールと、
前記スライド速度が前記所定の速度より大きい場合、前記終了点の位置によって目的機能を決定し、前記目的機能は、前記終了点が位置する応答セグメントに対応する機能である、目的機能決定モジュールと、
前記スライド速度が前記所定の速度以下である場合、前記スライド操作に応答しないための、処理モジュールと、
前記目的機能を起動させるための、目的機能起動モジュールと、を備えることを特徴とする操作処理装置。
【請求項８】
前記装置は、
前記スライド可能な領域に対するスライド操作を検出する時、スライド時間を取得するが、前記スライド時間は前記スライド可能な領域を前記応答領域までスライドする時間であるための、スライド時間取得モジュールをさらに備え、
前記判断モジュールは、さらに、前記スライド時間が所定の時間より短いか否かを判断し、、
前記目的機能決定モジュールは、さらに前記スライド時間が前記所定時間よりも短い場合、前記終了点の位置によって目的機能を決定するステップを実行し、
前記処理モジュールは、前記スライド時間が前記所定時間以上である場合、前記スライド操作に応答しないことを特徴とする請求項７に記載の操作処理装置。
【請求項９】
前記目的機能決定モジュールは、
前記終了点が第１の応答セグメントに位置する場合、前記目的機能をスクリーンショット機能として決定し、または、
前記終了点が第２の応答セグメントに位置する場合、前記目的機能をスクリーンロック機能とするためのものであることを特徴とする請求項７に記載の操作処理装置。
【請求項１０】
前記スライド可能な領域の中心は、前記応答領域の中心に重なり合うことを特徴とする請求項７に記載の操作処理装置。
【請求項１１】
前記スライド可能な領域は円形であり、前記応答領域は前記スライド可能な領域を囲む環状であることを特徴とする請求項７に記載の操作処理装置。
【請求項１２】
前記スライド可能な領域と前記応答領域との間に所定距離離隔することを特徴とする請求項７に記載の操作処理装置。
【請求項１３】
操作処理装置であって、
プロセッサーと、
プロセッサーにより実行可能な命令を記憶するためのメモリーと、を備え、
前記プロセッサーは、
端末画面に、スライド可能な領域と、応答セグメントを複数含む応答領域とを有するフロートアイコンを表示し、各応答セグメントはそれぞれ異なる機能に対応し、
前記スライド可能な領域に対するスライド操作を検出する時、前記スライド操作の前記応答領域での終了点の位置を取得し、
スライド可能な領域に対するスライド操作を検出する時、前記スライド操作のスライド速度を検出し、前記スライド速度とは、前記スライド可能な領域を開始位置から前記応答領域までスライドする過程が対応するスライド速度を意味し、
前記スライド速度が所定の速度より大きいか否かを判断し、
前記スライド速度が前記所定の速度より大きい場合、前記終了点の位置によって目的機能を決定し、前記目的機能は、前記終了点が位置する応答セグメントに対応する機能であり、
前記スライド速度が前記所定の速度以下である場合、前記スライド操作に応答せず、
前記目的機能を起動させる、ように構成されることを特徴とする操作処理装置である。
【請求項１４】
プロセッサーに実行されることにより、請求項１−６のうちいずれか１項に記載の操作処理方法を実現する、プログラム。
【請求項１５】
請求項１４に記載のプログラムが記録されたコンピュータ読取可能な記録媒体。
【発明の詳細な説明】
【技術分野】
【０００１】
本願は、出願番号が２０１６１０２２８００４．４であり、出願日が２０１６年０４月１３日である中国特許出願に基づき優先権を主張し、当前記中国特許出願の内容の全てを本願に援用する。
【０００２】
本願は、端末技術分野に関し、特に操作処理方法、装置、プログラム、及び記録媒体に関する。
【背景技術】
【０００３】
端末技術の進歩に伴い、タッチパネルを有する端末の応用範囲は広くなっており、端末の操作手順が日増しに簡単化され、端末が命令を入力する方式も日増しに多様化され、例えば、ユーザによるシングルタッチ、マルチタッチ及びスライド操作等を検出することにより、相応する操作を実行することが挙げられる。
【０００４】
関連技術では、操作処理方法は、ユーザが現在のデスクトップ壁紙を切り替えようとする際に、端末によってユーザによるシステム設定オプションへのトリガー操作が検出されると、システム設定画面が表示され、システム設定画面における壁紙設定オプションへのトリガー操作が検出された時、少なくとも複数の壁紙画像が含まれている背景画像の設定画面が表示され、何れか１つの壁紙画像に対する選択操作が検出された時、選択された壁紙画像がデスクトップ壁紙画像とされる方法である。
【発明の概要】
【解決しようとする課題】
【０００５】
関係技術に存在している問題を克服するために、本発明は操作処理方法、装置、プログラム、及び記録媒体を提供する。
【課題を解決するための手段】
【０００６】
本発明の実施例の第１の態様によれば、操作処理方法が提供され、前記操作処理方法は、
端末画面に、スライド可能な領域と、応答セグメントを複数含む応答領域とを有するフロートアイコンを表示し、各応答セグメントはそれぞれ異なる機能に対応する、ステップと、
前記スライド可能な領域に対するスライド操作を検出する時、前記スライド操作の前記応答領域での終了点の位置を取得するステップと、
前記終了点の位置によって、目的機能を決定し、前記目的機能は前記終了点の位置する応答セグメントが対応する機能である、ステップと、
前記目的機能を起動させるステップと、を含む。
【０００７】
本発明の第１の態様の第１の実現可能な形態において、前記終了点の位置によって目的機能を決定する前に、前記方法は、
前記スライド可能な領域に対するスライド操作を検出する時、スライド時間を取得し、前記スライド時間は前記スライド可能な領域を前記応答領域までスライドする時間である、ステップと、
前記スライド時間が所定の時間より短いか否かを判断する、ステップと、
前記スライド時間が前記所定時間よりも短い場合、前記終了点の位置によって目的機能を決定するステップを実行するステップと、
前記スライド時間が前記所定時間以上である場合、前記スライド操作に応答しない、ステップと、を更に含む。
【０００８】
本発明の第１の態様の第２の実現可能な形態において、前記終了点の位置によって目的機能を決定するステップは、
前記終了点が第１の応答セグメントに位置する場合、前記目的機能をスクリーンショット機能として決定するステップ、または、
前記終了点が第２の応答セグメントに位置する場合、前記目的機能をスクリーンロック機能とするステップを含む。
【０００９】
本発明の第１の態様の第３の実現可能な形態において、前記スライド可能な領域の中心は、前記応答領域の中心に重なり合う。
【００１０】
本発明の第１の態様の第４の実現可能な形態において、前記スライド可能な領域は円形であり、前記応答領域は前記スライド可能な領域を囲む環状である。
【００１１】
本発明の第１の態様の第５の実現可能な形態において、前記スライド可能な領域と前記応答領域との間に所定距離離隔する。
【００１２】
本発明実施例の第２の態様によれば、操作処理装置が提供され、前記操作処理装置は、
端末画面に、スライド可能な領域と、応答セグメントを複数含む応答領域とを有するフロートアイコンを表示するが、各応答セグメントはそれぞれ異なる機能に対応するための、フロートアイコン表示モジュールと、
前記スライド可能な領域に対するスライド操作を検出する時、前記スライド操作の前記応答領域での終了点の位置を取得するための、位置取得モジュールと、
前記終了点の位置によって目的機能を決定するが、前記目的機能は前記終了点が位置する応答セグメントの対応する機能であるための、目的機能決定モジュールと、
前記目的機能を起動させるための、目的機能起動モジュールと、を備える。
【００１３】
本発明の第２の態様の第１の実現可能な形態において、前記装置は、
前記スライド可能な領域に対するスライド操作を検出する時、スライド時間を取得するが、前記スライド時間は前記スライド可能な領域を前記応答領域までスライドする時間であるための、スライド時間取得モジュールと、
前記スライド時間が所定の時間より短いか否かを判断するための、判断モジュールと、
さらに前記スライド時間が前記所定時間よりも短い場合、前記終了点の位置によって目的機能を決定するステップを実行するための、目的機能決定モジュールと、
前記スライド時間が前記所定時間以上である場合、前記スライド操作に応答しないための、処理モジュールと、をさらに備える。
【００１４】
本発明の第２の態様の第２の実現可能な形態において、前記目的機能決定モジュールは、
前記終了点が第１の応答セグメントに位置する場合、前記目的機能をスクリーンショット機能として決定し、または、
前記終了点が第２の応答セグメントに位置する場合、前記目的機能をスクリーンロック機能とする、ためのものである。
【００１５】
本発明の第２の態様の第３の実現可能な形態において、前記スライド可能な領域の中心は、前記応答領域の中心に重なり合う。
【００１６】
本発明の第２の態様の第４の実現可能な形態において、前記スライド可能な領域は円形であり、前記応答領域は前記スライド可能な領域を囲む環状である。
【００１７】
本発明の第２の態様の第５の実現可能な形態において、前記スライド可能な領域と前記応答領域との間に所定距離離隔する。
【００１８】
本発明の第３の態様によれば、操作処理装置が提供され、前記操作処理装置は、
プロセッサーと、
プロセッサーにより実行可能な命令を記憶するための、メモリーと、を備え、
ここで、前記プロセッサーは、
端末画面に、スライド可能な領域と、応答セグメントを複数含む応答領域とを有するフロートアイコンを表示し、各応答セグメントはそれぞれ異なる機能に対応し、
前記スライド可能な領域に対するスライド操作を検出する時、前記スライド操作の前記応答領域での終了点の位置を取得し、
前記終了点の位置によって目的機能を決定し、前記目的機能は前記終了点の位置する応答セグメントが対応する機能であり、
前記目的機能を起動させるように構成される。
本発明の第４の態様によれば、プロセッサーに実行されることにより、上記方法を実現する、コンピュータ読取可能な記録媒体に記録されたプログラムを提供する。
本発明の第５の態様によれば、上記プログラムが記録されたコンピュータ読取可能な記録媒体を提供する。
【発明の効果】
【００１９】
本発明の実施例に提供される技術案は、下記の有益な効果を奏する。
【００２０】
本発明は、端末画面にフロートアイコンを表示し、前記フロートアイコンにおけるスライド可能な領域に対するスライド操作を検出する時、前記スライド操作の前記応答領域での終了点の位置を取得し、且つ、前記終了点の位置によって目的機能を決定し、目的機能を起動させて相応する操作を完成させることにより、ユーザがある操作を実行しようとする際に、前記フロートアイコンにおけるスライド可能な領域を前記応答領域までスライドすることで前記操作を実行することが可能となり、操作ステップを簡略化させ、操作速度を高め、操作効率を向上させることができる。特に、ユーザが片手で端末を持つ場合、上記の操作処理方法によりユーザに一層の便利さを与えることができる。
【００２１】
なお、前記一般的な記載及び後述の詳細な記載は、単なる例示的で解釈的な記載であり、本発明を限定しない。
【図面の簡単な説明】
【００２２】
ここの図面は、明細書に組み入れて本明細書の一部分を構成し、本発明に該当する実施例を例示するとともに、明細書とともに本発明の原理を解釈することに用いられる。
【００２３】
【図１】例示的な一実施例に係る操作処理方法のフローチャートである。
【図２Ａ】例示的な一実施例に係る操作処理方法のフローチャートである。
【図２Ｂ】例示的な一実施例に係る四種類のフロートアイコンの模式図である。
【図２Ｃ】例示的な一実施例に係る端末画面表示模式図である。
【図３】例示的な一実施例に係る操作処理装置のブロック図である。
【図４】例示的な一実施例に係る操作処理装置４００のブロック図である。
【発明を実施するための形態】
【００２４】
本発明の目的、技術案及び利点をより明らかにするために、以下に、本発明の実施形態について、図面を参照しながらさらに具体的に説明する。
【００２５】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施形態は、本発明に一致する全ての実施形態を代表するわけではない。かえって、それらは、添付される特許請求の範囲で詳細に記載される本発明の一部の態様に一致する装置、及び方法の例に過ぎない。
【００２６】
図１は例示的な一実施例に係る操作処理方法のフローチャートである。図１に示すように、操作処理方法は端末に用いられ、下記のステップを含む。
【００２７】
ステップ１０１において、端末画面に、スライド可能な領域と、応答セグメントを複数含む応答領域とを有するフロートアイコンを表示し、各応答セグメントはそれぞれ異なる機能に対応する。
【００２８】
ステップ１０２において、前記スライド可能な領域に対するスライド操作を検出する時、前記スライド操作の前記応答領域での終了点の位置を取得する。
【００２９】
ステップ１０３において、前記終了点の位置によって目的機能を決定し、前記目的機能は前記終了点の位置する応答セグメントが対応する機能である。
【００３０】
ステップ１０４において、前記目的機能を起動させる。
【００３１】
本発明の実施例に提供される方法は、端末画面にフロートアイコンを表示し、前記フロートアイコンにおけるスライド可能な領域に対するスライド操作を検出する時、前記スライド操作の前記応答領域での終了点の位置を取得し、前記終了点の位置によって目的機能を決定し、且つ、目的機能を起動させて相応する操作を完成させることにより、ユーザがある操作を実行しようとする際に、前記フロートアイコンにおけるスライド可能な領域を前記応答領域までスライドすることで前記操作を実行することが可能となり、操作ステップを簡略化させ、操作速度を高め、操作効率を向上させることができる。特に、ユーザが片手で端末を持つ場合、上記の操作処理方法によりユーザに一層の便利さを与えることができる。
【００３２】
本発明の第１の実現可能な形態において、前記終了点の位置によって目的機能を決定する前に、前記方法は、
前記スライド可能な領域に対するスライド操作を検出する時、スライド時間を取得し、前記スライド時間は前記スライド可能な領域を前記応答領域までスライドする時間である、ステップと、
前記スライド時間が所定の時間より短いか否かを判断する、ステップと、
前記スライド時間が前記所定時間よりも短い場合、前記終了点の位置によって目的機能を決定するステップを実行する、ステップと、
前記スライド時間が前記所定時間以上である場合、前記スライド操作に応答しない、ステップと、をさらに含む。
【００３３】
本発明の第２の実現可能な形態において、前記終了点の位置によって目的機能を決定するステップは、
前記終了点が第１の応答セグメントに位置する場合、前記目的機能をスクリーンショット機能として決定するステップ、または、
前記終了点が第２の応答セグメントに位置する場合、前記目的機能をスクリーンロック機能とするステップを含む。
【００３４】
本発明の第３の実現可能な形態において、前記スライド可能な領域の中心は、前記応答領域の中心に重なり合う。
【００３５】
本発明の第４の実現可能な形態において、前記スライド可能な領域は円形であり、前記応答領域は前記スライド可能な領域を囲む環状である。
【００３６】
本発明の第５の実現可能な形態において、前記スライド可能な領域と前記応答領域との間に所定距離離隔する。
【００３７】
上述の全ての選択可能の技術案は、任意の組み合わせによって、本発明に係る任意の実施例を形成することができ、ここで説明を省略する。
【００３８】
図２Ａは例示的な一実施例に係る操作方法のフローチャートである。前記実施例の実行主体は端末であっても良い。図２Ａを参照して分かるように、前記実施例は具体的に下記のことを含む。
【００３９】
ステップ２０１において、端末画面に、スライド可能な領域と、応答セグメントを複数含む応答領域とを有するフロートアイコンを表示し、各応答セグメントはそれぞれ異なる機能に対応する。
【００４０】
終端でのアンロック操作を検出する時、システム画面を表示する同時に、前記フロートアイコンを前記システム画面に表示し、前記フロートアイコンは、ユーザが端末での幾つかの機能に対するショットカット操作を実現するためのものである。なお、前記フロートアイコンは、端末画面でのいずれか１つの固定位置に固定表示してもよく、ユーザによる前記フロートアイコンの感応領域へのスライド操作を検出する時、前記スライド操作により、前記フロートアイコンを前記端末画面の対応する位置まで移動してもよい。
【００４１】
前記フロートアイコンに含まれるスライド可能な領域及び応答領域はそれぞれ異なる形状であっても良い。図２Ｂに示すように、図２Ｂには、フロートアイコンの四種類の可能な形状が示されている。例えば、図２Ｂの（ａ）におけるスライド可能な領域ａ１及び応答領域ａ２では、前記スライド可能な領域ａ１は円形であり、応答領域ａ２は「回」状である。図２Ｂの（ｂ）におけるスライド可能な領域ｂ１及び応答領域ｂ２では、前記スライド可能な領域ｂ１は三角形であり、応答領域ｂ２は正八角形フレームである。図２Ｂの（ｃ）におけるスライド可能な領域ｃ１及び応答領域ｃ２では、前記スライド可能な領域ｃ１は円形であり、応答領域ｃ２は半環状である。図２Ｂの（ｄ）におけるスライド可能な領域ｄ１及び応答領域ｄ２では、前記スライド可能な領域ｄ１は円形であり、応答領域ｄ２は環状である。実際に、前記スライド可能な領域及び前記応答領域はそれぞれその他の形状であってもよく、本発明の実際例はこれに対して具体的に限定しない。
【００４２】
前記応答領域に含まれる応答セグメントの数は、システムに設定されるデフォルト値であってもよく、ユーザによって必要に応じて設定されてもよい。具体的には、如何にセグメントに分けるか、及びどの応答セグメントがどの機能に割り当てられているかについては、ユーザによって設置されてもよく、システムのデフォルト設定とされてもよい。本発明の実施例はこれに対して限定しない。
【００４３】
本発明の他の実施例において、応答領域の形状により、前記応答領域を数の異なる応答セグメントに分ける。例えば、図２Ｂの（ａ）において、前記応答領域を四つの応答セグメントに分けることができ、「回」状の各フレームはそれぞれ１つの応答セグメントに対応し、即ち、図中の隣接する二つのセパレータの間の領域は１つの応答セグメントに対応する。図２Ｂの（ｂ）において、前記応答領域を八つの応答セグメントにわけることが可能であり、正八角形の各辺のフレームはそれぞれ１つの応答セグメントに対応し、即ち、図中の隣接する二つのセパレータの間の領域は１つの応答セグメントに対応する。図２Ｂの（ｃ）において、前記応答領域を三つの応答セグメントに分けることが可能であり、図中の隣接する二つのセパレータの間の弧状部分は１つの応答セグメントに対応する。図２Ｂの（ｄ）において、前記応答セグメントを六つの応答セグメントに分けることが可能であり、図中の隣接する二つのセパレータの間の弧状部分は１つの応答セグメントに対応する。なお、前記複数の応答セグメントでは各応答セグメントの領域面積はお互いに同じであってもよく、同じではなくてもよい。本発明の実施例は、これに対して限定しない。
【００４４】
勿論、異なる応答領域の形状が同じ数の応答セグメントに対応してもよい。本発明の実施例はこれに対して限定しない。
【００４５】
スライド可能な領域を前記応答領域の具体的な位置までスライドすることで相応する操作を実行することを可能にするように、前記スライド可能な領域と前記応答領域との間に所定距離離隔する。ここで、前記所定距離については、いずれか１つの固定値に設置してもよく、ユーザが必要に応じて前記所定距離の具体的な数値を選択できるように端末システムに予め複数の候補値を記憶しておいてもよく、または、その他の方法により前記所定距離を決定してよい。本発明の実施例はこれに対して具体的に限定しない。
【００４６】
なお、前記所定距離は０であってもよく、即ち、前記スライド可能な領域と前記応答領域との間に間隔がない。図２Ｂの（ｄ）において、前記スライド可能な領域の外は前記応答領域となる。
【００４７】
本発明の他の１つの実施例において、前記スライド可能な領域の中心が前記応答領域の中心に重なり合うことにより、前記スライド可能な領域を前記応答領域での何れか１つの位置へスライドする際に、前記スライド可能な領域が前記応答領域までの直線距離のいずれも同じであり、前記フロートアイコンの外観見栄えを確保することもできる。
【００４８】
本発明の他の１つの実施例において、前記スライド可能な領域は円形であり、前記応答領域は前記スライド可能な領域を囲む環状である。図２Ｃに示すように、図２Ｃのフロートアイコンにおいて、中心の円形陰影の領域は、前記フロートアイコンのスライド可能な領域であり、外部の環状陰影の領域は、前記フロートアイコンにおける応答領域である。
【００４９】
ステップ２０２において、前記スライド可能な領域に対するスライド操作を検出する時、前記スライド操作の前記応答領域での終了点の位置を取得する。
【００５０】
前記スライド操作とは、ユーザが端末画面に接触してから端末画面から離すまで対応する操作を指し、即ち、ユーザが端末画面上の前記スライド可能な領域に接触することを検出してから、ユーザが前記スライド可能な領域から離すことを検出するまでを一回のスライド操作としてみなすことができる。
【００５１】
前記応答領域での前記スライド可能な領域（スライド操作）の終了点の位置を取得する方法は、前記スライド可能な領域に対するスライド操作を検出する時、ユーザが前記端末画面から離す終点の位置座標を取得し、前記終点の位置座標を前記スライド操作の前記応答領域での終了点の位置として取得する方法であっても良い。
【００５２】
ステップ２０３において、前記スライド可能な領域に対するスライド操作を検出する時、スライド時間を取得し、前記スライド時間は、前記スライド可能な領域を前記応答領域までスライドする時間である。
【００５３】
前記スライド可能な領域に対するスライド操作を検出する時、前記スライド時間を取得する方法は、前記スライド可能な領域に対するスライド操作を検出する時、ユーザが前記端末画面に接触した開始時点、及び前記端末画面から離す終了時点をそれぞれ取得し、且つ、前記開始時点及び前記終了時点に基づいて前記スライド時間を取得する方法であっても良い。勿論、その他の方法により前記スライド時間を取得してもよい。本発明の実施例はこれに対して限定しない。
【００５４】
前記スライド可能な領域に対するスライド操作を検出する時、スライド時間を取得した後、前記スライド時間が所定の時間より小さいか否かを判断する。前記スライド時間が前記所定の時間より小さい場合、ステップ２０４を実行し、前記スライド時間が前記所定の時間以上である場合、前記スライド操作に応答しなくて終了する。
【００５５】
前記所定の時間は、前記スライド可能な領域と前記応答領域との間の距離により決定されてもよい。具体的には、端末システムには選択可能な複数の所定の距離が記憶されている場合、前記複数の所定の距離により、所定の距離のそれぞれに対して時間に対応する所定の時間を決定する。例えば、所定の距離が０．５ｃｍである場合、前記所定の時間を５００ｍｓとする。または、前記所定の時間をいずれか１つの時間として決定してもよい。勿論、その他の方法により前記所定の時間を決定することも可能である。本発明の実施例はこれに対して具体的に限定しない。
【００５６】
本発明の他の１つの実施例において、スライド可能な領域に対するスライド操作を検出する時、前記スライド操作のスライド速度を検出することができ、前記スライド速度とは、前記スライド可能な領域を開始位置から前記応答領域までスライドする過程が対応するスライド速度を意味してもよく、前記スライド可能な領域を前記応答領域までスライドする平均速度を意味してもよく、スライド可能な領域を前記応答領域までスライドする最大の速度を意味してもよい。本発明の実施例はこれに対して限定しない。
【００５７】
前記スライド速度を取得する方法は、
前記スライド時間を取得する方法は、ユーザが前記端末画面に接触する始点の位置座標及び前記端末画面から離す終点の位置座標、並びにユーザが前記端末画面に接触する開始時点及び前記端末画面から離す終了時点を取得し、前記始点の位置座標、前記終点の位置座標、及び開始時点と終了時点に基づいて前記スライド操作のスライド速度を取得する方法であっても良い。
【００５８】
相応的に、前記スライド可能な領域に対するスライド操作を検出する時、スライド時間を取得した後、前記スライド速度が所定の速度より大きいか否かを判断する。前記スライド速度が前記所定の速度より大きい場合、ステップ２０４を実行し、前記スライド速度が前記所定の速度以下である場合、前記スライド操作に応答しなくて終了する。
【００５９】
前記所定の速度を決定する方法と、上述した所定の時間の決定方法とは同じであり、ここで省略する。
【００６０】
前記スライド操作のスライド時間またはスライド速度を取得し、且つ、スライド時間が所定の時間より小さいか否か、あるいは前記スライド速度が所定の速度より大きいか否か、を判断したうえで、ステップ２０４を実行するか否かを決定することにより、操作の正確さを高めることができ、さらに誤操作によるユーザへの不便を回避することができる。
【００６１】
なお、本発明により提供される操作処理方法において、前記ステップ２０３が実行されてもよく、実行されなくてもよい。本発明の実施例はこれに対して限定しない。
【００６２】
ステップ２０４において、前記終了点の位置によって目的機能を決定する。前記目的機能は、前記終了点が位置する応答セグメントの対応する機能である。
【００６３】
前記終了点の位置によって目的機能を決定するステップは、前記終了点が第１の応答セグメントに位置する場合、前記目的機能をスクリーンショット機能として決定するステップ、または、前記終了点が第２の応答セグメントに位置する場合、前記目的機能をスクリーンロック機能とするステップを含む。ここで、前記第１の応答セグメントを何れか１つの応答セグメントに設置してもよく、前記第２の応答を前記第１の応答セグメント以外の他の応答セグメントの何れか１つの応答セグメントに設置してもよい。例えば、図２Ｃにおいて、前記第１の応答セグメントが応答セグメント１であり、第２の応答セグメントが応答セグメント２である場合、前記スライド可能な領域が初期位置から前記応答セグメント１内の任意の位置へスライドされ、且つ最終的に前記応答セグメント１にとまることを検出すると、目的機能をスクリーンショット機能として決定し、前記スライド可能な領域が初期位置から応答セグメント２内の任意の位置へスライドされ、且つ最終的に前記応答セグメント２にとまることを検出すると、目的機能をスクリーンロック機能として決定する。
【００６４】
勿論、前記終了点の位置はその他の位置であってもよく、例えば、図２Ｃにおける応答セグメント３、応答セグメント４等が挙げられる。前記目的機能は、録音機能、デスクトップの壁紙画像設定機能、音楽再生機能などのその他の機能であってもよい。本発明の実施例はこれらの何れに対しても具体的に限定しない。
【００６５】
前記異なる応答セグメントの対応する異なる機能について、システムのデフォルト設定を用いてもよく、ユーザ自分で習慣に応じて設定してもよい。具体的には、ユーザが異なる応答セグメントのためにそれぞれ異なる機能を設置する方法としては、応答セグメント設定オプションへのトリガー操作を検出する時、選択可能な応答セグメントの数を表示し、何れか１つの数へのユーザによる選択操作を検出する時、前記数を前記応答領域が分けられた後の応答セグメントの個数として決定し、且つ候補応答セグメントのプレビューを行い、前記プレビュー中の何れか１つの候補応答セグメントへのユーザによる選択操作を検出する時、前記候補応答セグメントを現在設置しようとする応答セグメントとして決定し、機能欄へのトリガー操作を検出する時、複数の候補機能を表示し、前記複数の候補機能の何れか１つの機能へのユーザによる選択操作を検出する時、前記機能を前記応答セグメントの対応する機能として決定する。また、ユーザが前記追加オプションに対してトリガー操作を実行することでユーザの所望の機能を追加することができるように、前記機能欄において追加オプションを表示することが可能である。
【００６６】
本発明の他の１つの実施例において、設置された応答セグメントと機能との対応関係を指定の記憶空間に記憶することにより、前記スライド可能な領域に対するスライド操作を検出すると、前記スライド操作の終了点の位置、及び前記指定の記憶空間に記憶された応答セグメントと機能との対応関係により、目的機能を決定することができる。
【００６７】
ステップ２０５において、前記目的機能を起動させる。
【００６８】
終了点の位置によって目的機能を決定した後、対応する操作を完成させるために、相応する目的機能を起動させる。例えば、目的機能がスクリーンショット機能である場合、スクリーンショット機能を起動させて、現在の端末スクリーンをショットし、ショットされた画像をアルバムに記憶させる。目的機能がスクリーンロック機能である場合、スクリーンロック機能を起動させて端末に対してスクリーンロックを行う。
【００６９】
本発明により提供される方法は、端末画面にフロートアイコンを表示し、前記フロートアイコンにおけるスライド可能な領域に対するスライド操作を検出する時、前記スライド操作の前記応答領域での終了点の位置を取得し、前記終了点の位置によって目的機能を決定し、目的機能を起動させて相応する操作を完成させることにより、ユーザがある操作を実行しようとする際に、前記フロートアイコンにおけるスライド可能な領域を前記応答領域までスライドすることで前記操作を実行することが可能となり、操作ステップを簡略化させ、操作スピードを高め、操作効率を向上させることができる。特に、ユーザが片手で端末を持つ場合、上記の操作処理方法によりユーザのために更なる便利さを与えることができる。さらに、スライド時間を取得し、スライド時間が所定時間より小さいか否かを判断することで前記スライド操作に応答するか否かを決定することにより、操作の正確さをより高めることができ、誤操作を回避することができる。
【００７０】
図３は例示的な一実施例に係る操作処理装置のブロック図である。図３を参照して分かるように、前記装置は、
端末画面に、スライド可能な領域と、応答セグメントを複数含む応答領域とを有するフロートアイコンを表示するが、各応答セグメントはそれぞれ異なる機能に対応するための、フロートアイコン表示モジュール３０１と、
前記スライド可能な領域に対するスライド操作を検出する時、前記応答領域で前記スライド操作の終了点の位置を取得するための、位置取得モジュール３０２と、
前記終了点の位置によって目的機能を決定するが、前記目的機能が、前記終了点が位置する応答セグメントの対応する機能であるための、目的機能決定モジュール３０３と、
前記目的機能を起動させるための、目的機能起動モジュール３０４と、を備える
本発明により提供される第１の実現可能な形態において、前記装置は、
前記スライド可能な領域に対するスライド操作を検出する時、スライド時間を取得するが、前記スライド時間は前記スライド可能な領域を前記応答領域までスライドする時間であるための、スライド時間取得モジュールと、
前記スライド時間が所定の時間より短いか否かを判断するための、判断モジュールと、
さらに前記スライド時間が前記所定時間よりも短い場合、前記終了点の位置によって目的機能を決定するステップを実行するための、目的機能決定モジュール３０３と、
前記スライド時間が前記所定時間以上である場合、前記スライド操作に応答しないための、処理モジュールと、をさらに備える。
【００７１】
本発明により提供される第２の実現可能な形態において、前記目的機能決定モジュール３０３は、
前記終了点が第１の応答セグメントに位置する場合、前記目的機能をスクリーンショット機能として決定し、または、
前記終了点が第２の応答セグメントに位置する場合、前記目的機能をスクリーンロック機能とする、ためのものである。
【００７２】
本発明により提供される第３の実現可能な形態において、前記スライド可能な領域の中心は、前記応答領域の中心に重なり合う。
【００７３】
本発明により提供される第４の実現可能な形態において、前記スライド可能な領域は円形であり、前記応答領域は前記スライド可能な領域を囲む環状である。
【００７４】
本発明により提供される第５の実現可能な形態において、前記スライド可能な領域と前記応答領域との間に所定距離離隔する。
【００７５】
上述した実施例における装置については、各モジュールが操作を実行する具体的な方式を前記方法に関する実施例において既に具体的に説明したので、ここで詳細な説明を省略する。
【００７６】
図４は、例示的な一実施例に係る操作処理装置４００のブロック図である。装置４００は、例えば、携帯電話、コンピュータ、デジタルブロードキャスト端末、メッセージ送受信装置、ゲームコンソール、タブレット機器、医療機器、フィットネス機器、ＰＤＡ（Ｐｅｒｓｏｎａｌ  Ｄｉｇｉｔａｌ  Ａｓｓｉｓｔａｎｔｓ（パーソナルデジタルアシスタント））等が挙げられる。
【００７７】
図４を参照して分かるように、装置４００は、処理ユニット４０２、メモリ４０４、電源ユニット４０６、マルチメディアユニット４０４、オーディオユニット４１０、入力／出力（Ｉ／Ｏ）インターフェース４１２、センサーユニット４１４、及び通信ユニット４１６からなる群から選ばれる１つまたは複数のユニットを備えてもよい。
【００７８】
処理ユニット４０２は、一般的には、装置４００の全体の操作、例えば、表示、電話呼び出し、データ通信、カメラ操作及び記録操作に関連する操作を制御する。処理ユニット４０２は、上述した方法におけるステップの一部又は全部を実現できるように、少なくとも１つのプロセッサー４２０を備えて命令を実行してもよい。また、処理ユニット４０２は、他のユニットとのインタラクションを便利にさせるように、少なくとも１つのモジュールを備えてもよい。例えば、処理ユニット４０２は、マルチメディアユニット４０８とのインタラクションを便利にさせるように、マルチメディアモジュールを備えてもよい。
【００７９】
メモリ４０４は、装置４００での操作をサポートするように、各種のデータを記憶するように構成される。これらのデータは、例えば、装置４００で何れのアプリケーション又は方法を操作するための命令、連絡先データ、電話帳データ、メッセージ、画像、ビデオ等を含む。メモリ４０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクにより、或いはそれらの組み合わせにより実現することができる。
【００８０】
電源ユニット４０６は、装置４００の各種ユニットに電力を供給するためのものであり、電源管理システム、１つ又は複数の電源、及び装置４００のために電力を生成、管理及び分配することに関連する他のユニットを備えてもよい。
【００８１】
マルチメディアユニット４０８は、装置４００とユーザとの間に出力インタフェースを提供するスクリーンを備えてもよい。幾つかの実施例でスクリーンは、例えば、液晶ディスプレイ（ＬＣＤ）やタッチパネル（ＴＰ）を備えてもよい。スクリーンは、タッチパネルを備える場合、ユーザからの入力信号を受信できるように、タッチスクリーンにすることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。幾つかの実施例では、マルチメディアユニット４０８は、フロントカメラ及び/又はバックカメラを有してもよい。装置４００が、例えば、撮影モードやビデオモードのような操作モードにある時、フロントカメラ及び/又はバックカメラが外部のマルチメディアデータを受信することができる。フロントカメラ及びバックカメラのそれぞれは、固定の光学レンズ系であってもよいし、焦点距離及び光学ズーム能力を有するものであってもよい。
【００８２】
オーディオユニット４１０は、オーディオ信号を出力及び/又は入力するように構成される。例えば、オーディオユニット４１０は、マイクロフォン（ＭｉＣ）を有してもよい。装置４００が、例えば、呼び出しモード、記録モード、又は音声認識モードのような操作モードにあるとき、マイクロフォンは、外部のオーディオ信号を受信するように構成される。受信したオーディオ信号は、メモリ４０４にさらに記憶されてもよいし、通信ユニット４１６を介して送信されてもよい。幾つかの実施例では、オーディオユニット４１０は、オーディオ信号を出力するためのスピーカをさらに備えてもよい。
【００８３】
Ｉ/Ｏインタフェース４１２は、処理ユニット４０２と外部のインタフェースモジュールとの間にインタフェースを提供するためのものである。上記外部のインタフェースモジュールは、キーボードや、クリックホイールや、ボタン等であってもよい。これらのボタンは、ホームボタンや、音量ボタンや、スタートボタンや、ロックボタンであってもよいが、それらに限らない。
【００８４】
センサーユニット４１４は、装置４００のために各方面の状態を評価する少なくとも１つのセンサーを備えてもよい。例えば、センサーユニット４１４は、装置４００のオン/オフ状態や、ユニットの相対的な位置を検出することができる。例えば、前記ユニットは、装置４００のディスプレイ及びキーパッドである。センサーユニット４１４は、装置４００又は装置４００の１つのユニットの位置の変化、ユーザによる装置４００への接触の有無、装置４００の方向又は加速/減速、装置４００の温度変化などを検出することができる。センサーユニット４１４は、何れの物理的な接触もない場合に付近の物体を検出するように構成される近接センサーを有してもよい。センサーユニット４１４は、イメージングアプリケーションに用いるための光センサー、例えば、ＣＭＯＳ又はＣＣＤ画像センサーを有してもよい。幾つかの実施例では、前記センサーユニット４１４は、加速度センサー、ジャイロスコープセンサー、磁気センサー、圧力センサー又は温度センサーをさらに備えてもよい。
【００８５】
通信ユニット４１６は、装置４００と他の設備の間との無線又は有線通信を便利にさせるように構成される。装置４００は、通信標準に基づく無線ネットワーク、例えば、ＷｉＦｉ（登録商標）、２Ｇ又は３Ｇ、又はそれらの組み合わせにアクセスできる。１つの例示的な実施例では、通信ユニット４１６は、ブロードキャストチャンネルを介して外部のブロードキャスト管理システムからのブロードキャスト信号又はブロードキャストに関する情報を受信する。１つの例示的な実施例では、前記通信ユニット４１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（ＢＴ：Ｂｌｕｅｔｏｏｔｈ（登録商標））技術、及び他の技術によって実現されてもよい。
【００８６】
例示的な実施例において、装置４００は、上述した操作処理方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【００８７】
例示的な実施例において、命令を有する非一時的コンピュータ読み取り可能な記録媒体、例えば、命令を有するメモリ４０４をさらに提供する。前記命令は、装置４００のプロセッサー４２０により実行されて上述した方法を実現する。例えば、前記非一時的コンピュータ読み取り可能な記録媒体は、ＲＯＭ、ＲＡＭ、ＣＤ-ＲＯＭ、磁気テープ、フレキシブルディスク及び光データメモリ等であってもよい。
【００８８】
非一時的コンピュータ可読記録媒体は、前記記録媒体における命令が対象機器のプロセッサーにより実行されると、対象機器が操作処理方法を実行するようになる。
【００８９】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の周知知識、又は通常の技術手段を含む。明細書及び実施例は、単に例示的なものであって、本発明の本当の範囲と主旨は、以下の特許請求の範囲によって示される。
【００９０】
本発明は、前記で記述され、図面で図示した特定の構成に限定されず、その範囲を離脱しない状況で、様々な修正や変更を実施してもよい。本発明の範囲は、添付される特許請求の範囲のみにより限定される。
【図１】
0006426755.tif 000002
【図２Ａ】
0006426755.tif 000003
【図２Ｂ】
0006426755.tif 000004
【図２Ｃ】
0006426755.tif 000005
【図３】
0006426755.tif 000006
【図４】
0006426755.tif 000007